(57)【特許請求の範囲】
【請求項１】
意匠面の一部を形成すると共にその周縁部が意匠面側から樹脂層を横切って裏面側へ貫通する表皮材と、該表皮材が樹脂層を横切るところの横断部に接合し表皮材で覆われた内側領域で成形される第一の樹脂層と、前記表皮材が樹脂層を横切るところの横断部に接合して表皮材の外側領域で成形される第二の樹脂層と、を具備し、該第二の樹脂層は表皮材との接合部分で所定間隔ごとに厚みをもたせた肉厚部を形成しながら大半を薄肉部で形成したことを特徴とする表皮材の部分加飾一体成形品。
【請求項２】
コア型とキャビティ型とを備え、さらに該コア型には表皮材で覆われる一領域の外周囲に進退動可能なクランプ体を設け、該クランプ体とコア型との間に表皮材を挟んでクランプ体が退動し且つ型閉じにした状態で、キャビティが形成されると共に表皮材に接する部分でクランプ体とキャビティ型とでつくる横断面の隙間形状が所定間隔ごとに切欠かれた切欠部を設けながらもスリット状であることを特徴とする表皮材の部分加飾一体成形品用金型。
【請求項３】
請求項２の部分加飾一体成形品用金型を用い、コア型の一領域を表皮材で覆うようにしてその表皮材の周縁部をキャビティ壁の外へ引き出しクランプ体とコア型とで挟持し、次いで、該表皮材で覆われた内側領域にあるゲートからキャビティへ溶融樹脂を射出し、その後、該表皮材の外側領域に配されたゲートからキャビティへ溶融樹脂を射出しキャビティを埋め尽くして表皮材と一体成形させることを特徴とする表皮材の部分加飾成形方法。
【発明の詳細な説明】
【０００１】
【発明の属する技術分野】
本発明は、意匠面が樹脂成形面の他に表皮材で部分的に加飾されるようにした表皮材の部分加飾一体成形品、その部分加飾一体成形品用金型、および表皮材の部分加飾成形方法に関する。
【０００２】
【従来の技術】
自動車の内装部品などでは、意匠面の一部領域に表皮材で風合いや高級感を付与した部分加飾の一体成形品がある。
斯る一体成形品は、従来、図１６のような製法等で造ってきた。まず、外周がトリミングされた所定大きさの表皮材９１をキャビティ型９４へセットし、真空引きにより該表皮材９１を固定する。次いで、型閉じを進行させ、その進行途中で溶融樹脂９３を射出する。そうして、型閉じを完了しプレスして一体成形品Ｙを造るのである（図１７）。符号９２はコア型、符号９５は成形樹脂を示す。
【０００３】
【発明が解決しようとする課題】
しかるに、上述の製法では、表皮材９１のトリミングカットで寸法誤差が生まれ易く、これが即品質に影響を与えた。また、表皮材９１のセット時にも狂いが発生し、一体成形品Ｙにおける表皮材の端末ライン９１ａが一定にならない問題があった。さらに、真空引きする機器を必要とし、成形型の設備が大掛りとなった。
【０００４】
本発明は上記問題点を解決するもので、真空引きする機器を要せずして、表皮材端末ラインをきれいに整え品質安定維持できる表皮材の部分加飾一体成形品および表皮材の部分加飾成形方法を提供することを目的とする。
【０００５】
【課題を解決するための手段】
上記目的を達成すべく、請求項１に記載の本発明の要旨は、意匠面の一部を形成すると共にその周縁部が意匠面側から樹脂層を横切って裏面側へ貫通する表皮材と、該表皮材が樹脂層を横切るところの横断部に接合し表皮材で覆われた内側領域で成形される第一の樹脂層と、前記表皮材が樹脂層を横切るところの横断部に接合して表皮材の外側領域で成形される第二の樹脂層と、を具備し、該第二の樹脂層は表皮材との接合部分で所定間隔ごとに厚みをもたせた肉厚部を形成しながら大半を薄肉部で形成したことを特徴とする表皮材の部分加飾一体成形品にある。
また、請求項２に記載の本発明の要旨は、コア型とキャビティ型とを備え、さらに該コア型には表皮材で覆われる一領域の外周囲に進退動可能なクランプ体を設け、該クランプ体とコア型との間に表皮材を挟んでクランプ体が退動し且つ型閉じにした状態で、キャビティが形成されると共に表皮材に接する部分でクランプ体とキャビティ型とでつくる横断面の隙間形状が所定間隔ごとに切欠かれた切欠部を設けながらもスリット状であることを特徴とする表皮材の部分加飾一体成形品用金型にある。
また、請求項３に記載の本発明の要旨は、請求項２の部分加飾一体成形品用金型を用い、コア型の一領域を表皮材で覆うようにしてその表皮材の周縁部をキャビティ壁の外へ引き出しクランプ体とコア型とで挟持し、次いで、該表皮材で覆われた内側領域にあるゲートからキャビティへ溶融樹脂を射出し、その後、該表皮材の外側領域に配されたゲートからキャビティへ溶融樹脂を射出しキャビティを埋め尽くして表皮材と一体成形させることを特徴とする表皮材の部分加飾成形方法にある。
【０００６】
【実施形態】
以下、本発明に係る表皮材の部分加飾一体成形品、その部分加飾一体成形品用金型、および表皮材の部分加飾成形方法について詳述する。
図１〜図１１は本発明の表皮材の部分加飾一体成形品、その部分加飾一体成形品用金型、および表皮材の部分加飾成形方法の一形態で、図１〜図４は成形過程を示す断面説明図で、図１は型開き状態にある表皮材の部分加飾成形用金型（以下、単に「金型」という）の断面説明図、図２は図１の状態から工程が進んで表皮材を係止セットした断面説明図、図３は型閉じ後、表皮材で覆われた内側領域にあるゲートからキャビティへ溶融樹脂を射出した断面説明図、図４は表皮材の外側領域に配されたゲートからキャビティへ溶融樹脂を射出した断面説明図、図５は図４のＡ部拡大図、図６は図５で表皮材なしのＶ矢視図、図７は脱型の断面説明図、図８は図１のコア型及びクランプ体の平面図、図９は表皮材の部分加飾一体成形品の斜視図、図１０は図９のIV−IV線断面図、図１１は図１０のＢ部拡大図である。
【０００７】
（１）表皮材の部分加飾一体成形品用金型
表皮材の部分加飾一体成形品を造る金型について説明する。
図１に示した金型は、表皮材の部分加飾一体成形品に用いる金型の一例で、コア型３とクランプ体４とキャビティ型５とを具備する。
【０００８】
コア型３はここではその略中央にコア型凸部３ａがある固定型（下型）になっている。コア型３にはキャビティ壁３１が形成されるが、表皮材１が配される領域より外のキャビティ壁の一部はクランプ体４に担わせている（図２）。そのため、コア型上にクランプ体４をおさめる凹所３６が確保される。コア型３には、表皮材１で覆われる内側領域（内包領域）と表皮材１の外側領域のキャビティ壁の双方に溶融樹脂Ｇ2a，Ｇ2bを射出するゲート３２，３３が形成される（図３，図４）。
【０００９】
クランプ体４は、表皮材１で覆われる前記コア型凸部３ａ（一領域）の外周縁に沿って設けられる。クランプ体４は、表皮材１が配されるコア型凸部３ａの部分が開口Ｏした環状ブロックで（図８）、コア型側に設置され、クランプ体上面に前述のごとくコア型キャビティ壁４１をつくる。クランプ体４は、その下面が可動軸７１に支えられ（図７参照）、該可動軸を作動させる油圧シリンダ（図示せず）によってコア型３から浮上したりコア型３に密着したり進退動可能に設けられる。クランプ体４がコア型３に引き下がった状況下、クランプ体４の内周縁４９とコア型凸部外周縁３９とは全周にわたって近接状態にある（図８）。従って、クランプ体４を浮上させた後、コア型３とクランプ体４の間に表皮材１を介在させてクランプ体４を下降させれば、コア型３とクランプ体４とで表皮材１を挟み、コア型凸部３ａ上に表皮材１を配して係止セットできる。コア型３とクランプ体４とで表皮材１を係止セットしたとき、表皮材１に接するクランプ体４の部分が接合部４２であり、該接合部４２はクランプ体の内周縁４９を所定幅で取巻く。接合部４２は、クランプ体４の他のキャビティ壁４１より一段下がった格好にしている。接合部４２は上面４２ａを平らにする一方で、所定間隔Ｐ1ごとに上面が切欠かれた切欠部４２ｂを設ける。該切欠部４２ｂは所定幅の接合部４２を横切る形になっている（図５）。
【００１０】
キャビティ型５は下面にキャビティ壁５１が形成された可動型（上型）である。キャビティ型５は、クランプ体４の接合部４２に対向する部分が突出して突起部５２を形成する。突出部５２の両側壁はキャビティ壁５１からなだらかな弧を描き、その底面５２ａをフラットにする（図２）。意匠面Ｅに現われる表皮材端末ラインＬの見栄えを良くするためである。
クランプ体４とコア型３との間に表皮材１を挟んでクランプ体４をコア型３に引き込み表皮材１を挟持した後、キャビティ型５を下降させ、型閉めすると、表皮材１による部分加飾一体成形品用のキャビティＣが形成される。このとき、表皮材１に接する部分でクランプ体４とキャビティ型５とでつくる横断面の隙間形状Ｓが、所定間隔ごとに切欠かれた前述の切欠部４２ｂを有しながらもスリット状となる。キャビティ型５の突起部５２がクランプ体４の内周縁４９近くの接合部４２の方へ突出しており、この部分でのスリット幅εを小さくする（図６）。スリット幅εを狭くしているのは、このような狭いスリット幅εを設けないと、図１３のように表皮材１で覆われた内側領域に溶融樹脂Ｇ2aを充填する際、完全充填する前に表皮材１が破れて表皮材１の外側領域へ溶融樹脂Ｇαが流れ込む図１４の不具合が出易いからである。
【００１１】
図６は、図５でクランプ体４とキャビティ型５とでつくる隙間形状ＳのＶ矢視図である。図６では隙間形状Ｓを判り易くするため表皮材１を省く。表皮材１に接する部分でのクランプ体４とキャビティ型５とでつくる横断面形状は、図５で突起部５２のあるところでは、この隙間形状Ｓの形を保つ。突起部５２を越えればキャビティ壁５１となり大きなキャビティ空間となる。
前記スリット幅εは０＜ε≦１.０ｍｍの範囲が好ましい。０を省くのは、隙間形状Ｓがスリット状であっても、表皮材１の外側領域で成形される第二の樹脂層２ｂに係る溶融樹脂Ｇ2bがここを通過し、表皮材１の横断部１ｂに接合した第二の樹脂層２ｂを形成するからである。スリット幅εを０にしてしまうと、表皮材１と第二の樹脂層２ｂの合接部が一様なものとして得られなくなる。表皮材１（詳しくは横断部１ｂ）と第二の樹脂層２ｂの合接部があることによって製品の見栄えがよくなる。スリット幅εを１.０ｍｍ以下とするのは、合接の強度を確実にし、且つ合接部の見栄えが悪くならないようにするためである。
一方、図６で隙間形状Ｓの切欠部４２ｂの深さＬ1や幅Ｌ2は適宜決められるが、例えば、本実施形態の表皮材１による加飾部面積が５００ｍｍ×１８０ｍｍ程度（図９参照）では、深さＬ1が３ｍｍで幅Ｌ2が４ｍｍφほどの半円状のものが選択される。切欠部４２ｂのピッチＰ1も適宜決められ、例えば約２０ｍｍとする。切欠部４２ｂを設けるのは、ここに第二の樹脂層２ｂを埋めて成形することによって肉厚部２１ｂを形成し機械的強度を高める図る狙いがある。なお、切欠部４２ｂが大きくなり過ぎると、図１３，図１４のような問題が起きてしまうので、切欠部４２ｂの深さＬ1や幅Ｌ2は一定範囲（これまでの試験結果によれば、深さＬ1×幅Ｌ2の面積が１００ｍｍ2以下）内に制限される。
【００１２】
（２）表皮材の部分加飾成形方法
上記金型を用いて、表皮材の部分加飾成形方法は以下のごとく実施される。
まず、成形操作に先立ち、所定大きさに裁断カットした平板状の表皮材１を準備する。該表皮材１は一体成形品Ｐが出来上った後にその周縁部１ａがカットされるので、図１２の従来技術のようにシビアな寸法カットする必要は全くない。製品となる所定寸法の表皮材より若干大きめの表皮材１が用意される。表皮材１には例えば真空成形トリムされた樹脂製のレザー表皮材が用いられる。
そして、金型を型開状態とし、さらにクランプ体４を上動させ、クランプ体４がコア型３から浮上した状態とする。クランプ体４がキャビティ型方向に押し出された状態とする。
【００１３】
次いで、コア型３とクランプ体４の間に表皮材１を配設する（図１）。
続いて、図示しない油圧シリンダを作動させ、クランプ体４をコア型側に引き込むことにより前記表皮材１をコア型上に係止する（図２）。表皮材１の部分加飾一体成形品ＰをつくるキャビティＣ内で表皮材１をセットするにあたり、コア型３の凸部３ａ（一領域）を表皮材１で覆うようにしてその表皮材１の周縁部１ａをキャビティ壁３１の外へ引き出しクランプ体４とコア型３とで挟持しセットする。表皮材１はコア型凸部３ａを覆って、その表皮材周縁部１ａがキャビティ壁の外（具体的にはコア型凸部とクランプ体の間隙）へ引き出され、係止セットされる。クランプ体４が下降してコア型３に密着すると、コア型凸部３ａの外周縁３９とクランプ体４の内周縁４９とで表皮材周縁部１ａを挟持する（図５）。表皮材外周全域に亘ってコア型３とクランプ体４とで挟持する。その結果、表皮材１がコア型凸部３ａを覆うようにしてセットされる。若干大きめに裁断カットされたところの表皮材周縁部１ａはクランプ体下側にできる空間に収納される。
【００１４】
しかる後、型閉じを進行させる。キャビティ型５を閉めていくと、キャビティ内（ここでは、完全な型閉じ状態でない）で部分的にその領域を表皮材１が占有して、コア型３とクランプ体４とに表皮材１が係止セットされた格好になる。
次に、表皮材１で覆われた内側領域にあるゲート３２を開き、通路３４を通ってゲート３２からキャビティへ溶融樹脂Ｇ2aを射出し、部分加飾用の表皮材１との一体成形を行う。この段階での射出成形は、完全な型閉じ状態下で実施してもよいが、表皮材１の一体成形状態をよくするため、金型を少し開き加減として低圧成形法を採用するのがより好ましい。溶融樹脂Ｇ2aがコア型凸部上に団子状に盛られることになる。
溶融樹脂Ｇの材料には、例えばポリエチレン，ポリプロピレン等の熱可塑性プラスチックが使用される。溶融樹脂Ｇ（Ｇ2a，Ｇ2b）の材料は部分加飾用の表皮材１と相溶性のものとなる。
【００１５】
斯る溶融樹脂Ｇ2aの射出を終えたら、続いて、少し開き加減にあったキャビティ型５を完全に閉じ、型閉じを完了させる（図３）。
この過程で、係止セットされた表皮材１とコア型凸部上で団子状に盛られた上述の溶融樹脂Ｇ2aがプレスされる。充満する溶融樹脂Ｇ2aで、表皮材１はキャビティ型５のキャビティ壁に押しつけられ、意匠面Ｅを形成する表皮材部分がきれいに形成される。
【００１６】
その後、表皮材１の外側領域に配されたゲート３３を開き、通路３５を経てゲート３３からキャビティＣへ溶融樹脂Ｇ2bを射出する（図４）。
表皮材１の外側領域のキャビティＣへ充填された該溶融樹脂Ｇ2bは、キャビティＣを埋め、さらに前述したクランプ体４の接合部４２とキャビティ型５の突起部５２とでつくる隙間形状Ｓの該隙間部分へも流れ込む。そして、表皮材１に接合しこれとの一体化を図る。表皮材１は、その周縁部１ａが第一の樹脂層２ａを覆って裏面側へ貫通しているが、第一の樹脂層２ａを覆った表皮材１のキャビティに配された部分（横断部１ｂ）に第二の樹脂層２ｂが接合する。この接合部分には前述のスリット幅εによる薄肉部２１ａと切欠部４２ｂによる肉厚部２１ｂが形成される。
こうして、溶融樹脂Ｇ2bで表皮材外側にある残りのキャビティＣを埋め尽くして表皮材１で部分加飾された一体成形品Ｐを造る。本実施形態では通常成形を行うが、この時も、キャビティ型５を寸開して低圧成形法を採ることができる。
ところで、第二の樹脂層２ｂをバージン材で形成する一方、第一の樹脂層２ａをリサイクル材で形成すると、より好ましくなる。第一の樹脂層２ａは意匠面側に現われないため、外観に不都合がなく、リサイクル材を用いることによってコストダウンが図れる。ここで、リサイクル材には、市場に出て回収される素材の他、工場の生産過程で不良品やバリなどとなって排出されたものを粉砕利用した素材等を含む。リサイクル材については、相溶性があれば混ざりものであっても構わない。また、その色なども第一の樹脂層２ａが意匠面側に現われてこないことからリサイクル材と同一になる必要はない。
【００１７】
かくのごとく成形された表皮材１の部分加飾一体成形品Ｐは、冷却固化された後、脱型工程に移る。クランプ体４と図示しないエジェクタピンとで一体成形品Ｐを突き上げて脱型する（図７）。
金型から一体成形品Ｐを取出した後、最後に、成形品裏面から伸びる表皮材周縁部１ａを作業者が手やハサミ等で取り除くと、図９，図１０ごとくの所望の表皮材の部分加飾一体成形品Ｐが得られる。なお、一体成形品Ｐの裏面側のゲートランド部分２３も適宜カットされる。
【００１８】
（３）表皮材の部分加飾一体成形品
前述の一体成形法で得られた表皮材１の部分加飾一体成形品は、図９〜図１１ごとくの形状になっている。表皮材１との一体成形品Ｐで、意匠面Ｅは樹脂層２ｂがつくる意匠面の他に、表皮材１が島状に存在し、部分加飾が施されている（図８）。
表皮材１は、前記成形法を採ることによって、意匠面Ｅの一部を形成すると共にその周縁部１ａが意匠面側から樹脂層２を横切って裏面側へ貫通する（図１１）。そして、表皮材１が樹脂層２を横切るところの横断部１ｂに、表皮材１で覆われた内側領域で成形される第一の樹脂層２ａが接合し、また、表皮材１の外側領域で成形される第二の樹脂層２ｂが外側から接合している。第二の樹脂層２ｂは表皮材１との接合部分で所定間隔ごとに厚みをもたせた肉厚部２１ｂを形成しながら大半を薄肉部２１ａで形成する。図１１のIX−IX線矢視図では、図６の隙間形状Ｓに第二の樹脂層２ｂが埋まった形になる。
【００１９】
成形を終えた段階の一体成形品Ｐの裏面側には表皮材周縁部１ａが現われるが、図１１はその部分をトリミングカットしカット部１ｃとする。なお、本実施形態は表皮材外周全域に亘ってコア型３とクランプ体４とで挟持することによって図９のような島状の部分加飾一体成形品Ｐとしたが、他形態として図１２のような部分加飾一体成形品Ｐとすることもできる。図１２では、意匠面に現われる加飾用表皮材１の一側縁が一体成形品Ｐの樹脂層側縁と一致する。
【００２０】
（３）効果
このように構成した表皮材の部分加飾一体成形品および表皮材の部分加飾成形方法によれば、表皮材周縁部１ａがキャビティ壁の外へ引き出され、且つコア型３とクランプ体４により常に決まった位置に係止セットされるので、意匠面サイドに現われる表皮材端末ラインＬが一定できれいに仕上がる。また、成形工程で、まずゲート３２を開き、表皮材１に覆われた箇所に溶融樹脂Ｇ2aを供給して表皮材１との一体成形を行い、表皮材１の意匠面Ｅを形成した後、ゲート３３から溶融樹脂Ｇ2bを表皮材外側のキャビティＣに供給して製品外周部にあたる樹脂部分を形成するから、表皮材１の意匠面の境界が乱れないのである。
そして、表皮材１は一体成形品Ｐが出来ると、表皮材端縁１ａが成形品裏面側に現われ、この部分は不要部分となってカットされるので、成形時における表皮材１は所定寸法より若干大きめのものを用いれば足り、裁断にシビアにならずに済む。さらに，表皮材端縁１ａのトリミング処理もいらず作業性に優れる。
【００２１】
ところで、図１３のようなクランプ体４の形状にすると、表皮材１が破れる不具合を招く。すなわち、表皮材１で覆われる内側領域に溶融樹脂Ｇ2aを完全充填する前に表皮材１が破れて、溶融樹脂Ｇαが表皮材１の外側領域へ流れ出るのである（図１４）。その結果、加飾部の樹脂層２ｂに漏れ部αが発生する（図１５）。この漏れ部αは表皮材１の毛や一部をもぎとって意匠外観に悪影響（ウエルド，ツヤムラなど）を与えてきた。また、表皮材１に覆われる内側領域が溶融樹脂Ｇ2aで完全充填されないためショートショットβが発生し、後工程の溶融樹脂Ｇ2bが流れ込む不具合も出た（図１５）。
しかるに、本発明では、表皮材１の横断部１ｂに溶融樹脂Ｇ2aが接する部分（リアランス）を小さくして表皮材１の破れを防止する。クランプ体４の接合部４２とキャビティ型５の突起部５２とで隙間形状Ｓを形成することによって、表皮材１の破れを防止するのである。しかも、その一方で、クリアランスをある程度大きくとって、具体的には切欠部４２ｂを設け肉厚部２１ｂを形成することによって、樹脂層２ｂと表皮材１との接合力を高め、上記問題を解決するものである。表皮材加飾部のショートショットをなくし、且つ表皮材１と樹脂層２ｂとの接合力を確保できる。
【００２２】
また、コア型３とクランプ体４とで表皮材１をコア型上に係止セットできるので、従来必要とした真空引きの機器はいらなくなる。また、図３の表皮材１との一体成形で、型を少し開き加減にしてキャビティＣへ溶融樹脂Ｇを射出し、さらにプレスする低圧成形法を用いた場合は、表皮材１のダメージが少なくなるメリットがある。
【００２３】
尚、本発明においては前記実施形態に示すものに限られず、目的，用途に応じて本発明の範囲で種々変更できる。表皮材１，樹脂層２，コア型３，クランプ体４，キャビティ型５等の形状，大きさ，材質，個数等は用途に合わせて適宜選択できる。
【００２４】
【発明の効果】
以上のごとく、本発明の表皮材の部分加飾一体成形品および表皮材の部分加飾成形方法は、表皮材のセットに真空引きしなくてもよく、意匠面に現われる表皮材端末ラインを綺麗に整えることができ、品質安定に優れた効果を発揮する。
【図面の簡単な説明】
【図１】本発明の表皮材の部分加飾成形方法の一形態で、型開き状態にある金型の断面説明図である。
【図２】図１の状態から工程が進んで表皮材を係止セットした断面説明図である。
【図３】型閉じ後、表皮材で覆われた内側領域にあるゲートからキャビティへ溶融樹脂を射出した断面説明図である。
【図４】表皮材の外側領域に配されたゲートからキャビティへ溶融樹脂を射出した断面説明図である。
【図５】図４で溶融樹脂なしのＡ部拡大図である。
【図６】図５で表皮材なしのＶ矢視図である。
【図７】脱型の断面説明図である。
【図８】図１のコア型及びクランプ体の平面図である。
【図９】表皮材の部分加飾一体成形品の斜視図である。
【図１０】図９のIV−IV線断面図である。
【図１１】図１０のＢ部拡大図である。
【図１２】別形態の表皮材の部分加飾一体成形品の斜視図である。
【図１３】図５に対応する他形態図である。
【図１４】図５に対応する他形態図である。
【図１５】不具合の状況を説明する斜視図である。
【図１６】従来技術の説明断面図である。
【図１７】従来技術の説明図である。
【符号の説明】
１              表皮材
１ａ            周縁部
１ｂ            横断部
２              樹脂層
２ａ            第一の樹脂層
２ｂ            第二の樹脂層
２１ａ          薄肉部
２１ｂ          肉厚部
３              コア型
３２，３３      ゲート
４              クランプ体
４２ｂ          切欠部
５              キャビティ型
Ｃ              キャビティ
Ｅ              意匠面
Ｇ2a，Ｇ2b，Ｇ  溶融樹脂
Ｐ              成形品（一体成形品）
Ｓ              隙間形状
【図１】
0003929624.tif 000002
【図２】
0003929624.tif 000003
【図３】
0003929624.tif 000004
【図４】
0003929624.tif 000005
【図５】
0003929624.tif 000006
【図６】
0003929624.tif 000007
【図７】
0003929624.tif 000008
【図８】
0003929624.tif 000009
【図９】
0003929624.tif 000010
【図１０】
0003929624.tif 000011
【図１１】
0003929624.tif 000012
【図１２】
0003929624.tif 000013
【図１３】
0003929624.tif 000014
【図１４】
0003929624.tif 000015
【図１５】
0003929624.tif 000016
【図１６】
0003929624.tif 000017
【図１７】
0003929624.tif 000018